【手続補正書】
【提出日】令和2年12月3日(2020.12.3)
【手続補正１】
【補正対象書類名】明細書
【補正対象項目名】００８７
【補正方法】変更
【補正の内容】
【００８７】
本明細書における発明は、特定の実施形態を参照して説明されているが、これらの実施形態は、本発明の原理及び適用の単なる例示に過ぎないことを理解されたい。本発明の趣旨及び範囲から逸脱することなく、本発明の方法及び装置に様々な修正及び変更を加えることができることが、当業者には明らかであろう。それゆえ、本発明は、添付の請求項及びそれらの等価物の範囲内にある修正及び変更を含むことが意図されている。
なお、以上の各実施形態に加えて以下の態様について付記する。
（付記１）
液体スプレーガンノズルアセンブリであって、
外部液体源に接続するための液体コネクタを含むコーティング液入口部分と、
前記コーティング液入口部分を通して前記ノズルアセンブリ内に供給されたコーティング液を噴霧するための、噴霧軸に沿って配置された液体ノズルを含むコーティング液出口部分と、
前記コーティング液入口部分を前記液体ノズルに流体的に接続するコーティング液流路と、
前記液体スプレーガンノズルアセンブリを、互換性のある液体スプレーガン本体に接続するようになっている、前記コーティング液出口部分の反対側のスプレーガン接続部分と、
を備え、前記スプレーガン接続部分が、
半径方向外側に面する表面を含む外壁と、
前記半径方向外側に面する表面上に配置され、第１の端部、第２の端部、及び前記コーティング液出口部分に面するカム面を含む、第１のカム部材と、
前記第１のカム部材の前記第１の端部に近接した第１のアクセス窓と、
を含む、液体スプレーガンノズルアセンブリ。
（付記２）
前記スプレーガン接続部分が、
第１の端部、第２の端部、及び前記コーティング液出口部分に面するカム面を含む第２のカム部材であって、前記第１のアクセス窓が、前記第１のカム部材の前記第１の端部を前記第２のカム部材の前記第２の端部から分離する、第２のカム部材と、
前記第２のカム部材の前記第１の端部を前記第１のカム部材の前記第２の端部から分離する第２のアクセス窓と、
を更に含む、付記１に記載の液体スプレーガンノズルアセンブリ。
（付記３）
前記第２の半径方向外側に面するカム面が、前記噴霧軸に垂直に画定されたベース平面に対して傾斜した部分を含む、付記２に記載の液体スプレーガンノズルアセンブリ。
（付記４）
前記液体コネクタがクイックコネクトカプラを含む、付記１〜３のいずれか一項に記載の液体スプレーガンノズルアセンブリ。
（付記５）
前記第１の半径方向外側に面するカム面が、前記噴霧軸に垂直に画定されたベース平面に対して傾斜した部分を含む、付記１〜４のいずれか一項に記載の液体スプレーガンノズルアセンブリ。
（付記６）
前記スプレーガン接続部分が、前記液体スプレーガンノズルアセンブリを、前記互換性のある液体スプレーガン本体に封着するようになっているノズルアセンブリシール面を含む、付記１〜５のいずれか一項に記載の液体スプレーガンノズルアセンブリ。
（付記７）
前記第１のカム面が、前記互換性のある液体スプレーガン本体の相補的なカムラグと相互作用し、前記液体スプレーガンノズルアセンブリを前記噴霧軸に沿って引き、前記ノズルアセンブリシール面を、前記互換性のある液体スプレーガン本体とシール関係で配置するようになっている、付記６に記載の液体スプレーガンノズルアセンブリ。
（付記８）
第２のカム面を備え、前記第１及び第２のカム面が、前記互換性のある液体スプレーガン本体の相補的なカムラグと相互作用し、前記液体スプレーガンノズルアセンブリを前記噴霧軸に沿って引き、前記ノズルアセンブリシール面を、前記互換性のある液体スプレーガン本体とシール関係で配置するようになっている、付記７に記載の液体スプレーノズル。
（付記９）
前記ノズルアセンブリシール面が、円形である第１のシール部材を含む、付記６〜８のいずれか一項に記載の液体スプレーガンノズルアセンブリ。
（付記１０）
前記ノズルアセンブリシール面が、それぞれ円形で互いに同心である第１及び第２のシール部材を含む、付記６〜８のいずれか一項に記載の液体スプレーガンノズルアセンブリ。
（付記１１）
前記第１及び第２のシール部材が前記噴霧軸を中心にして同心である、付記１０に記載の液体スプレーガンノズルアセンブリ。
（付記１２）
前記互換性のある液体スプレーガン本体に接続されると、成形空気ゾーンが前記第１及び第２のシール部材の間で隔離される、付記１０又は１１に記載の液体スプレーガンノズルアセンブリ。
（付記１３）
前記互換性のある液体スプレーガン本体に接続されると、中央空気ゾーンが前記第２のシール部材内で隔離される、付記１０〜１２のいずれか一項に記載の液体スプレーガンノズルアセンブリ。
（付記１４）
前記ノズルアセンブリシール面が、第３のシール部材を含み、前記第３のシール部材が、円形であり、前記第１及び第２のシール部材と同心である、付記１０〜１３のいずれか一項に記載の液体スプレーガンノズルアセンブリ。
（付記１５）
前記互換性のある液体スプレーガン本体に接続されると、成形空気ゾーンが前記第２及び第３のシール部材の間で隔離される、付記１４に記載の液体スプレーガンノズルアセンブリ。
（付記１６）
前記互換性のある液体スプレーガン本体に接続されると、液体ニードルが前記第３のシール部材内で隔離される、付記１４又は１５に記載の液体スプレーガンノズルアセンブリ。
（付記１７）
前記第１のカム面が、前記互換性のある液体スプレーガン本体の相補的なカムラグと相互作用し、前記液体スプレーガンノズルアセンブリを、前記液体スプレーガンノズルアセンブリの回転を伴うことなく、前記噴霧軸に沿って、前記互換性のある液体スプレーガン本体に引き寄せるようになっている、付記１〜１６のいずれか一項に記載の液体スプレーガンノズルアセンブリ。
（付記１８）
第２のカム面を備え、前記第１及び第２のカム面が、前記互換性のある液体スプレーガン本体の相補的なカムラグと相互作用し、前記液体スプレーガンノズルアセンブリを、前記液体スプレーガンノズルアセンブリの回転を伴うことなく、前記噴霧軸に沿って、前記互換性のある液体スプレーガン本体に引き寄せるようになっている、付記１７に記載の液体スプレーノズル。
（付記１９）
前記第１のアクセス窓は、前記互換性のある液体スプレーガン本体の相補的なカムラグが、前記第１の半径方向外側に面するカム部材のカム面に到達するためのアクセスを可能にする、付記１〜１８のいずれか一項に記載の液体スプレーガンノズルアセンブリ。
（付記２０）
第２のアクセス窓を備え、前記第１及び第２のアクセス窓は、前記互換性のある液体スプレーガン本体の相補的なカムラグが、前記第１及び第２の半径方向外側に面するカム部材のカム面に到達するためのアクセスを可能にする、付記１９に記載の液体スプレーガンノズルアセンブリ。
（付記２１）
液体スプレーガン本体と、
付記１〜２０のいずれか一項に記載の液体スプレーガンノズルアセンブリと、
を備える、液体スプレーガンアセンブリ。
（付記２２）
前記液体スプレーガン本体が、前記液体スプレーガンノズルアセンブリの接続のための捕捉された回転可能な係止リングを含む、付記２１に記載の液体スプレーガンアセンブリ。
（付記２３）
前記捕捉された回転可能な係止リングは、前記液体スプレーガンノズルアセンブリ上の前記第１及び第２のカム面と相互作用するようになっている第１及び第２のカムラグを含む、付記２２に記載の液体スプレーガンアセンブリ。
（付記２４）
前記捕捉された回転可能な係止リングが、前記噴霧軸を中心にして組み立て位置及び係止位置に回転可能であり、
前記組み立て位置では、前記液体スプレーガンノズルアセンブリの組み付け又は取り外しを可能にするために、前記第１及び第２のカムラグが前記第１及び第２のアクセス窓と丁重に（respectfully）位置合わせされ、
前記係止位置では、前記液体スプレーガンノズルアセンブリを前記液体スプレーガン本体に対して係止させるために、前記第１及び第２のカムラグが前記第１及び第２のカム面に丁重に（respectfully）当接する、
付記２３に記載の液体スプレーガンアセンブリ。
（付記２５）
前記組み立て位置から前記係止位置への前記捕捉された回転可能な係止リングの回転が、前記噴霧軸を中心にして１８０度未満である、付記２４に記載の液体スプレーガンアセンブリ。
（付記２６）
前記組み立て位置から前記係止位置への前記捕捉された回転可能な係止リングの回転が、前記噴霧軸を中心にして１４０度未満である、付記２５に記載の液体スプレーガンアセンブリ。
（付記２７）
前記捕捉された回転可能な係止リングが、前記捕捉された回転可能な係止リングを前記噴霧軸に沿って押すことによって前記液体スプレーガン本体に組み付け可能であり、前記噴霧軸に沿って引くことによって前記液体スプレーガン本体から取り外し可能である、付記２２〜２６のいずれか一項に記載の液体スプレーガンアセンブリ。
（付記２８）
前記捕捉された回転可能な係止リングが、前記噴霧軸を中心にして組み立て位置及び係止位置に回転可能であり、前記捕捉された回転可能な係止リングが、前記組み立て位置に回転された時には、前記液体スプレーガン本体に組み付け可能でかつ、前記液体スプレーガン本体から取り外し可能であるが、前記係止位置に回転された時には、取り外し可能でない、付記２７に記載の液体スプレーガンアセンブリ。
（付記２９）
前記捕捉された回転可能な係止リングが、スナップ機構を介して前記液体スプレーガン本体に組み付け可能でかつ、前記液体スプレーガン本体から取り外し可能である、付記２７又は２８に記載の液体スプレーガンアセンブリ。
（付記３０）
前記捕捉された回転可能な係止リングが、道具を使用することなく、前記液体スプレーガン本体に組み付け可能でかつ、前記液体スプレーガン本体から取り外し可能である、付記２７〜２９のいずれか一項に記載の液体スプレーガンアセンブリ。
（付記３１）
互換性のある液体スプレーガンノズルアセンブリの接続を可能にするようになっている、捕捉された回転可能な係止リングを備え、コーティング液の通路を含まない、液体スプレーガン本体。
（付記３２）
前記捕捉された回転可能な係止リングが、前記互換性のある液体スプレーガンノズルアセンブリの第１のカム面と相互作用するようになっている第１のカムラグを含む、付記３１に記載の液体スプレーガン本体。
（付記３３）
前記捕捉された回転可能な係止リングが、前記互換性のある液体スプレーガンノズルアセンブリ上の第２のカム面と相互作用するようになっている第２のカムラグを含む、付記３２に記載の液体スプレーガン本体。
（付記３４）
前記捕捉された回転可能な係止リングが組み立て位置及び係止位置に回転可能であり、
前記組み立て位置では、前記互換性のある液体スプレーガンノズルアセンブリが組み付け可能及び取り外し可能であり、
前記係止位置では、前記互換性のある液体スプレーガンノズルアセンブリが前記液体スプレーガン本体に対して係止可能である、
付記３１〜３３のいずれか一項に記載の液体スプレーガン本体。
（付記３５）
前記組み立て位置から前記係止位置への前記捕捉された回転可能な係止リングの回転が、前記噴霧軸を中心にして１８０度未満である、付記３４に記載の液体スプレーガン本体。
（付記３６）
前記組み立て位置から前記係止位置への前記捕捉された回転可能な係止リングの回転が、前記噴霧軸を中心にして１４０度未満である、付記３５に記載の液体スプレーガン本体。
（付記３７）
前記捕捉された回転可能な係止リングが、前記捕捉された回転可能な係止リングを前記液体スプレーガン本体へと押すことによって前記液体スプレーガン本体に組み付け可能であり、前記液体スプレーガン本体から引くことによって前記液体スプレーガン本体から取り外し可能である、付記３１〜３６のいずれか一項に記載の液体スプレーガン本体。
（付記３８）
前記捕捉された回転可能な係止リングが、前記噴霧軸を中心にして組み立て位置及び係止位置に回転可能であり、前記捕捉された回転可能な係止リングが、前記組み立て位置に回転された時には、前記液体スプレーガン本体に組み付け可能でかつ、前記液体スプレーガン本体から取り外し可能であるが、前記係止位置に回転された時には、取り外し可能でない、付記３７に記載の液体スプレーガン本体。
（付記３９）
前記捕捉された回転可能な係止リングが、スナップ機構を介して前記液体スプレーガン本体に組み付け可能でかつ、前記液体スプレーガン本体から取り外し可能である、付記３７又は３８に記載の液体スプレーガン本体。
（付記４０）
前記捕捉された回転可能な係止リングが、道具を使用することなく、前記液体スプレーガン本体に組み付け可能でかつ、前記液体スプレーガン本体から取り外し可能である、付記３７〜３９のいずれか一項に記載の液体スプレーガン本体。
（付記４１）
付記１〜２０のいずれか一項に記載の液体スプレーガンノズルアセンブリを、付記３１〜４０のいずれか一項に記載の液体スプレーガン本体に組み付けることを含む、液体スプレーガンを使用する方法。
（付記４２）
前記液体スプレーノズルアセンブリを前記液体スプレーガン本体から取り外すことを含む、付記４１に記載の方法。
（付記４３）
前記捕捉された回転可能な係止リングを洗浄のために前記液体スプレーガン本体から取り外し、その後、前記捕捉された回転可能な係止リングを前記液体スプレーガン本体に再び組み付けることを含む、付記３７〜４０のいずれか一項に記載の液体スプレーガン本体を使用する方法。
（付記４４）
付記３１〜３０のいずれか一項に記載の液体スプレーガンアセンブリを使用する方法であって、
前記捕捉された回転可能な係止リングを前記組み立て位置に配置することと、
前記第１のカムラグを前記第１のアクセス窓と位置合わせすることと、
前記液体スプレーガンノズルアセンブリを前記噴霧軸に沿って並進させ、前記第１のカムラグを、前記第１のアクセス窓を通過させることと、
前記捕捉された回転可能な係止リングを前記噴霧軸を中心にして回転させ、前記第１のカムラグを前記第１のカム面に係合させることと、
前記係止位置への前記捕捉された回転可能な係止リングの回転を継続し、前記液体スプレーガンノズルアセンブリを前記液体スプレーガン本体に対してシール関係で係止させることと、
を含む、方法。
（付記４５）
前記第２のカムラグを前記第２のアクセス窓と位置合わせすることと、
前記液体スプレーガンノズルアセンブリを噴霧軸に合わせて（along to）並進させ、前記第２のカムラグを、前記第２のアクセス窓を通過させることと、
前記捕捉された回転可能な係止リングを前記噴霧軸を中心にして回転させ、前記第２のカムラグを前記第２のカム面に係合させることと、
を含む、付記４４に記載の方法。
（付記４６）
前記捕捉された回転可能な係止リングを前記係止位置から前記組み立て位置に回転させることと、
前記液体スプレーガンノズルアセンブリを前記噴霧軸に沿って引き、前記液体スプレーガンノズルアセンブリを前記液体スプレーガン本体から取り外すことと、
を含む、付記４４又は４５に記載の方法。
（付記４７）
前記液体スプレーガンノズルアセンブリを前記液体スプレーガン本体から取り外した後に、前記捕捉された回転可能な係止リングを前記噴霧軸に沿って引くことによって、前記液体スプレーガン本体から取り外すことを含む、付記４６に記載の方法。
（付記４８）
前記捕捉された回転可能な係止リングを前記液体スプレーガン本体から取り外した後に、前記捕捉された回転可能な係止リングを、前記噴霧軸に沿って押すことによって、前記液体スプレーガン本体に再び組み付けることを含む、付記４７に記載の方法。
【手続補正２】
【補正対象書類名】特許請求の範囲
【補正対象項目名】全文
【補正方法】変更
【補正の内容】
【特許請求の範囲】
【請求項１】
液体スプレーガンノズルアセンブリであって、
外部液体源に接続するための液体コネクタを含むコーティング液入口部分と、
前記コーティング液入口部分を通して前記ノズルアセンブリ内に供給されたコーティング液を噴霧するための、噴霧軸に沿って配置された液体ノズルを含むコーティング液出口部分と、
前記コーティング液入口部分を前記液体ノズルに流体的に接続するコーティング液流路と、
前記液体スプレーガンノズルアセンブリを、互換性のある液体スプレーガン本体に接続するようになっている、前記コーティング液出口部分の反対側のスプレーガン接続部分と、
を備え、前記スプレーガン接続部分が、
半径方向外側に面する表面を含む外壁と、
前記半径方向外側に面する表面上に配置され、第１の端部、第２の端部、及び前記コーティング液出口部分に面するカム面を含む、第１のカム部材と、
前記第１のカム部材の前記第１の端部に近接した第１のアクセス窓と、
を含み、
前記第１のカム面が、前記互換性のある液体スプレーガン本体の相補的なカムラグと相互作用し、前記液体スプレーガンノズルアセンブリを、前記液体スプレーガンノズルアセンブリの回転を伴うことなく、前記噴霧軸に沿って、前記互換性のある液体スプレーガン本体に引き寄せるようになっている、液体スプレーガンノズルアセンブリ。
【請求項２】
前記スプレーガン接続部分が、
第１の端部、第２の端部、及び前記コーティング液出口部分に面するカム面を含む第２のカム部材であって、前記第１のアクセス窓が、前記第１のカム部材の前記第１の端部を前記第２のカム部材の前記第２の端部から分離する、第２のカム部材と、
前記第２のカム部材の前記第１の端部を前記第１のカム部材の前記第２の端部から分離する第２のアクセス窓と、
を更に含む、請求項１に記載の液体スプレーガンノズルアセンブリ。
【請求項３】
液体スプレーガン本体と、
請求項１又は２に記載の液体スプレーガンノズルアセンブリと、
を備える、液体スプレーガンアセンブリ。
【請求項４】
前記液体スプレーガン本体が、前記液体スプレーガンノズルアセンブリの接続のための捕捉された回転可能な係止リングを含む、請求項３に記載の液体スプレーガンアセンブリ。
【請求項５】
前記捕捉された回転可能な係止リングは、前記液体スプレーガンノズルアセンブリ上の前記第１及び第２のカム面と相互作用するようになっている第１及び第２のカムラグを含む、請求項４に記載の液体スプレーガンアセンブリ。
【請求項６】
前記捕捉された回転可能な係止リングが、前記噴霧軸を中心にして組み立て位置及び係止位置に回転可能であり、
前記組み立て位置では、前記液体スプレーガンノズルアセンブリの組み付け又は取り外しを可能にするために、前記第１及び第２のカムラグが前記第１及び第２のアクセス窓と丁重に（respectfully）位置合わせされ、
前記係止位置では、前記液体スプレーガンノズルアセンブリを前記液体スプレーガン本体に対して係止させるために、前記第１及び第２のカムラグが前記第１及び第２のカム面に丁重に（respectfully）当接する、
請求項５に記載の液体スプレーガンアセンブリ。
【請求項７】
互換性のある液体スプレーガンノズルアセンブリの接続を可能にするようになっている、捕捉された回転可能な係止リングを備え、コーティング液の通路を含まない、液体スプレーガン本体であって、
前記捕捉された回転可能な係止リングが、前記互換性のある液体スプレーガンノズルアセンブリの第１のカム面と相互作用するようになっている第１のカムラグを含み、
前記捕捉された回転可能な係止リングが、前記互換性のある液体スプレーガンノズルアセンブリ上の第２のカム面と相互作用するようになっている第２のカムラグを含み、
前記捕捉された回転可能な係止リングが組み立て位置及び係止位置に回転可能であり、
前記組み立て位置では、前記互換性のある液体スプレーガンノズルアセンブリが組み付け可能及び取り外し可能であり、
前記係止位置では、前記互換性のある液体スプレーガンノズルアセンブリが前記液体スプレーガン本体に対して係止可能である、液体スプレーガン本体。
【請求項８】
請求項１又は２に記載の液体スプレーガンノズルアセンブリを、請求項７に記載の液体スプレーガン本体に組み付けることを含む、液体スプレーガンを使用する方法。
【請求項９】
請求項１に記載の液体スプレーガンノズルと、請求項７に記載の液体スプレーガン本体と、を有する液体スプレーガンアセンブリを使用する方法であって、前記方法は、
前記捕捉された回転可能な係止リングを前記組み立て位置に配置することと、
前記第１のカムラグを前記第１のアクセス窓と位置合わせすることと、
前記液体スプレーガンノズルアセンブリを前記噴霧軸に沿って並進させ、前記第１のカムラグを、前記第１のアクセス窓を通過させることと、
前記捕捉された回転可能な係止リングを前記噴霧軸を中心にして回転させ、前記第１のカムラグを前記第１のカム面に係合させることと、
前記係止位置への前記捕捉された回転可能な係止リングの回転を継続し、前記液体スプレーガンノズルアセンブリを前記液体スプレーガン本体に対してシール関係で係止させることと、
を含む、方法。
【請求項１０】
前記捕捉された回転可能な係止リングを前記係止位置から前記組み立て位置に回転させることと、
前記液体スプレーガンノズルアセンブリを前記噴霧軸に沿って引き、前記液体スプレーガンノズルアセンブリを前記液体スプレーガン本体から取り外すことと、
を含む、請求項９に記載の方法。